(57)【特許請求の範囲】
【請求項１】
電子部品を収納したキャリアテープを巻取るキャリアテープ巻取装置において、
キャリアテープが巻かれる軸芯部と、
軸芯部の外周に設けられ、キャリアテープの側縁を保持する一対の側板とを備え、
軸芯部にキャリアテープの先端部が挿入される溝部が形成され、
軸芯部側方に、軸芯部の溝部内に挿入されたキャリアテープの先端部を保持する保持装置を設け、
保持装置は一方の側板側であって、軸芯部の溝部外方に配置され、溝部に挿入されるキャリアテープの先端部の側縁を係止する係止用部材を有することを特徴とするキャリアテープ巻取装置。
【請求項２】
係止用部材は一方の側板に当接する当接部と、当接部から突出してキャリアテープの先端部の側縁と当接して係止する係止部とを含む弾性体からなることを特徴とする請求項１記載のキャリアテープ巻取装置。
【請求項３】
保持装置は他方の側板に当接し、溝部内のキャリアテープの先端部を案内すると共に係止用部材の反力を受ける案内用部材を更に有することを特徴とする請求項１記載のキャリアテープ巻取装置。
【請求項４】
電子部品を収納したキャリアテープを巻取るキャリアテープ巻取装置において、
キャリアテープが巻かれる軸芯部と、
軸芯部の外周に設けられ、キャリアテープの側縁を保持する一対の側板とを備え、
軸芯部にキャリアテープの先端部が挿入される溝部が形成され、
軸芯部側方に、軸芯部の溝部内に挿入されたキャリアテープの先端部を保持する保持装置を設け、
保持装置は一方の側板の軸芯部外方に配置され、この一方の側板に当接する保持用部材と、
保持用部材に、軸芯部の溝部内に挿入されたキャリアテープの先端部に対して離接自在に設けられ、キャリアテープの先端部の側縁を係止する係止体と、
を有することを特徴とするキャリアテープ巻取装置。
【請求項５】
保持装置は他方の側板に当接し、溝部内のキャリアテープの先端部と共に係止体の反力を受け案内する案内用部材を更に有することを特徴とする請求項４記載のキャリアテープ巻取装置。
【請求項６】
保持装置に、駆動シャフトが設けられていることを特徴とする請求項１または４いずれか記載のキャリアテープ巻取装置。
【発明の詳細な説明】
【０００１】
【発明の属する技術分野】
本発明は電子部品を収納したキャリアテープを巻取るキャリアテープ巻取装置に係り、とりわけ容易かつ確実にキャリアテープを巻取ることができるキャリアテープ巻取装置に関する。
【０００２】
【従来の技術】
従来より、電子部品を収納したキャリアテープを巻取るリールとして、キャリアテープが巻取られる軸芯部と、軸芯部の外周に設けられキャリアテープの側縁を保持する一対の側板とを備えたものが知られている。
【０００３】
軸芯部には溝部が設けられ、キャリアテープの先端部をこの溝部内に挿入した後、リールを回転させ、このようにしてキャリアテープ巻取装置の軸芯部にキャリアテープを巻取っていく。
【０００４】
【発明が解決しようとする課題】
上述のように、リールにキャリアテープを巻取る場合、まず軸芯部の溝部内にキャリアテープの先端部を挿入した後で、キャリアテープ巻取装置を回転させる。
【０００５】
しかしながら、キャリアテープは比較的剛性があるため先端部を軸芯部の溝部内に挿入した後リールを回転させた際、キャリアテープの先端部の折曲が悪く溝部内から抜け出してしまうことがある。この場合はリールを回転させても、キャリアテープを確実に軸芯部外周に巻取ることができない。
【０００６】
本発明はこのような点を考慮してなされたものであり、キャリアテープの軸芯部の溝部内からの抜け出しを防止し、軸芯部外周にキャリアテープを確実に巻取ることができるキャリアテープ巻取装置を提供することを目的とする。
【０００７】
【課題を解決するための手段】
本発明は、電子部品を収納したキャリアテープを巻取るキャリアテープ巻取装置において、キャリアテープが巻かれる軸芯部と、軸芯部の外周に設けられ、キャリアテープの側縁を保持する一対の側板とを備え、軸芯部にキャリアテープの先端部が挿入される溝部が形成され、軸芯部側方に、軸芯部の溝部内に挿入されたキャリアテープの先端部を保持する保持装置を設け、保持装置は一方の側板側であって、軸芯部の溝部外方に配置され、溝部に挿入されるキャリアテープの先端部の側縁を係止する係止用部材を有することを特徴とするキャリアテープ巻取装置である。
本発明は、電子部品を収納したキャリアテープを巻取るキャリアテープ巻取装置において、キャリアテープが巻かれる軸芯部と、軸芯部の外周に設けられ、キャリアテープの側縁を保持する一対の側板とを備え、軸芯部にキャリアテープの先端部が挿入される溝部が形成され、軸芯部側方に、軸芯部の溝部内に挿入されたキャリアテープの先端部を保持する保持装置を設け、保持装置は一方の側板の軸芯部外方に配置され、この一方の側板に当接する保持用部材と、保持用部材に、軸芯部の溝部内に挿入されたキャリアテープの先端部に対して離接自在に設けられ、キャリアテープの先端部の側縁を係止する係止体と、を有することを特徴とするキャリアテープ巻取装置である。
【０００８】
本発明によれば、軸芯部の溝部内にキャリアテープの先端部が挿入される。軸芯部の溝部内に挿入されたキャリアテープの先端部は、保持装置により保持される。その後保持装置と共に軸芯部と一対の側板が回転して、軸芯部の外周にキャリアテープが巻取られる。
【０００９】
【発明の実施の形態】
以下図面を参照して本発明の実施の形態について説明する。
【００１０】
図１乃至図４は、本発明によるキャリアテープ巻取装置の一実施の形態を示す図である。
【００１１】
本発明によるキャリアテープ巻取装置は、図３に示すようなキャリアテープ１を巻取るものである。すなわち図３に示すように、キャリアテープ１はエンボス部４を有する合成樹脂製底材２と、合成樹脂製底材２を覆う合成樹脂製蓋材３とからなり、エンボス部４内に電子部品５が収納されている。
【００１２】
またキャリアテープ１の他の例として、図示しないが紙テープの長手方向に複数の穴又は凹みを設け、そこに部品を保持させるものも有る。
【００１３】
このようなキャリアテープ１を巻取るキャリアテープ巻取装置１０は、キャリアテープ１が巻取られる軸芯部１１と、軸芯部１１の外周に設けられキャリアテープの側縁を保持する一対の円盤状側板１２ａ、１２ｂとからなるリール１４を備えている。
【００１４】
このうち一対の側板１２ａ、１２ｂは、段部１３を介して軸芯部１１より外方へ突出し、この段部１３および軸芯部１１に円周方向に沿って等間隔でキャリアテープ１の先端部が挿入される３つの溝部１５が形成されている。また軸芯部１１の中心には、軸部１９が設けられている。
【００１５】
またリール１４の軸芯部１１の側方に、軸芯部１１の溝部１５内に挿入されたキャリアテープ１の先端部を保持する保持装置１６、１７が設けられている。この保持装置１６、１７は一方の側板１２ａ側であって溝部１５外方に配置された摩擦力の大きいゴムやスポンジの弾性体から成る係止用部材１６と、他方の側板１２ｂ側に配置されこの他方の側板１２ｂに当接する案内用部材１７とからなっている。
【００１６】
また弾性体から成る係止用部材１６は、一方の側板１２ａに当接する円形の当接部１６ｂと、当接部１６ｂから軸芯部１１側へ突出して溝部１５内に挿入されたキャリアテープ１の側縁を係止する切頭円すい形の係止部１６ａとを有している。この係止部１６ａは軸芯部１１側へ突出するとともに、その係止面２１によりキャリアテープ１の側縁を押圧し、弾性体から成る係止面２１の摩擦力によりキャリアテープ１の先端部を係止する（図２（ａ）（ｂ））。また係止用部材１６はアルミニウムやスチール等の金属製の背面部材１８により支持されている。ここで図２（ａ）はキャリアテープ巻取装置１０の縦断面図であり、図２（ｂ）は図２（ａ）の部分拡大図である。
【００１７】
また案内用部材１７はアルミニウムやスチール等の金属製の円盤からなり、他方の側板１２ｂに当接して溝部１５内に挿入されるキャリアテープ１の先端部を案内すると共に係止用部材１６の反力を受けるようになっている。
【００１８】
なお図２（ａ）において、背面部材１８および案内用部材１７には、駆動シャフト２０が各々連結されている。
【００１９】
次にこのような構成からなる本実施の形態について説明する。まず係止用部材１６と案内用部材１７が、一方の側板１２ａと他方の側板１２ｂにそれぞれ当接し、一方の側板１２ａと他方の側板１２ｂを押圧する。この場合、軸芯部１１の溝部１５内の空間が、これら係止用部材１６と案内用部材１７とにより規制される。
【００２０】
次に図３に示すようなキャリアテープ１の先端部がリール１４の軸芯部１１の溝部１５内に挿入される。このときキャリアテープ１の先端部は係止用部材１６の係止部１６ａにより案内用部材１７側へ押され、また係止部１６ａの係止面２１と案内用部材１７との摩擦力によってキャリアテープ１の側縁が係止される。
【００２１】
キャリアテープ１の先端部を軸芯部１１の溝部１５内へ挿入する際、係止部１６ａは切頭円すい形をなしているため、この係止部１６ａが案内用部材１７とともにキャリアテープ１をスムースに溝部１５内へ挿入することができる。
【００２２】
キャリアテープ１の先端部が係止用部材１６の係止部１６ａによって係止された後、駆動シャフト２０により、一対の側板１２ａ、１２ｂおよび軸芯部１１を有するキャリアテープ巻取装置１０が回転し、軸芯部１１の溝部１５内に先端部が挿入されたキャリアテープ１が軸芯部１１の外周に巻取られる。
【００２３】
この場合、溝部１５内に挿入されたキャリアテープ１の先端部は係止用部材１６によってしっかりと係止されて保持されるので、キャリアテープ巻取装置１０の回転中にキャリアテープ１の先端部が溝部１５から抜け出すことはない。このため軸芯部１１の外周に巻かれたキャリアテープ１の外周に順次外側のキャリアテープ１が巻付けられ、このようにしてキャリアテープ巻取装置１０によりキャリアテープ１を容易かつ確実に巻取ることができる。
【００２４】
次に図５により、本発明によるキャリアテープ巻取装置の他の実施の形態について説明する。
【００２５】
図５に示す実施の形態は、保持装置として背面部材１８により支持された係止用部材１６を設ける代わりに、保持用部材２２を設けこの保持用部材２２に係止体２４を軸芯部１１の軸方向に摺動可能に設けたものであり、他は図１乃至図４に示す第１の実施の形態と略同一である。
【００２６】
図５において、図１乃至図４に示す第１の実施の形態と同一部分には同一符号を付して詳細な説明は省略する。
【００２７】
図５に示すように、一方の側板１２ａの外方に、この一方の側板１２ａに当接する金属製保持用部材２２が設けられ、保持用部材２２に係止体２４が軸芯部１１の溝部１５内に挿入されたキャリアテープ１の先端部に対して離接自在に設けられている。
【００２８】
また他方の側板１２ｂの外方に、他方の側板１２ｂに当接してキャリアテープ１の先端部を溝部１５内へ案内する案内用部材１７が設けられている。そしてこれら保持用部材２２と、係止体２４と、案内用部材１７とにより保持装置が構成されている。
【００２９】
図５において、まず保持用部材２２と案内用部材１７が、それぞれ一方の側板１２ａと他方の側板１２ｂに当接し、一方の側板１２ａと他方の側板１２ｂをそれぞれ押圧する。この場合、係止体２４は、軸芯部１１の溝部１５内に挿入されたキャリアテープ１の先端部から離れている。
【００３０】
次にキャリアテープ１の先端部が軸芯部１１の溝部１５内に挿入される。その後、係止体２４が溝部１５内に挿入されたキャリアテープ１の先端部側へ接近し、この係止体２４の係止面２４ａがキャリアテープ１の先端部に当接し、案内用部材１７と共にキャリアテープ１の先端部を押圧挟持して係止する。
【００３１】
キャリアテープ１の先端部が係止体２４の係止面２４ａにより係止された後、駆動シャフト２０により、一対の側板１２ａ、１２ｂおよび軸芯部１１を有するキャリアテープ巻取装置１０が回転し、軸芯部１１の溝部１５内に先端部が挿入されたキャリアテープが軸芯部１１の外周に巻取られる。
【００３２】
この場合、溝部１５内に挿入されたキャリアテープ１の先端部は係止体２４の係止面２４ａによりしっかりと係止されて保持されているので、キャリアテープ巻取装置１０の回転中にキャリアテープ１の先端部が溝部１５から抜け出すことはない。
【００３３】
【発明の効果】
以上のように本発明によれば、軸芯部の溝部内に挿入されたキャリアテープの先端部が保持装置に保持され、その後軸芯部と一対の側板が回転してキャリアテープが軸芯部外周に巻取られる。この場合、溝部内のキャリアテープの先端部は保持装置により保持されているので、キャリアテープを巻取る際、キャリアテープが溝部から抜け出すことはない。このためキャリアテープを確実にキャリアテープ巻取装置により巻取ることができる。
【図面の簡単な説明】
【図１】本発明によるキャリアテープ巻取装置の一実施の形態を示す斜視図。
【図２】キャリアテープ巻取装置の縦断面図。
【図３】キャリアテープを示す図。
【図４】本発明によるキャリアテープのリールへの巻取状況説明図。
【図５】キャリアテープ巻取装置の他の実施の形態を示す縦断面図。
【符号の説明】
１  キャリアテープ
１０  キャリアテープ巻取装置
１１  軸芯部
１２ａ、１２ｂ  一対の側板
１３  段部
１４  リール
１５  溝部
１６  係止用部材
１６ａ  係止部
１６ｂ  当接部
１７  案内用部材
１８  背面円盤
２０  駆動シャフト
２２  保持用部材
２４  係止体
【図１】
0003708400.tif 000002
【図２】
0003708400.tif 000003
【図３】
0003708400.tif 000004
【図４】
0003708400.tif 000005
【図５】
0003708400.tif 000006